(57)【要約】【課題】  熱伝達媒体冷媒供給装置から吐出された直後の熱伝達媒体の温度と、外部の熱交換機に供給された後に上記熱伝達媒体冷媒供給装置に戻る直前の熱伝達媒体の温度との差を、所定の値以内にする。【解決手段】  熱伝達媒体を熱伝達媒体供給装置から受け取って外部の熱交換器１０４に供給し、戻ってきた熱伝達媒体を、上記熱伝達媒体供給装置に戻す熱伝達媒体循環装置１において、外部の熱交換器１０４に供給される前の熱伝達媒体と蓄熱手段３との間で熱量を移動させることが可能な第１の熱移動手段５と、熱交換器１０４から戻って上記熱伝達媒体供給装置に戻る前の熱伝達媒体、蓄熱手段３との間で熱量を移動させることが可能な第２の熱移動手段７とを有する。【選択図】図１
2005172334.tif 000002
【特許請求の範囲】
【請求項１】
液体状の第１の熱伝達媒体を熱伝達媒体供給装置から受け取って、この受け取った第１の熱伝達媒体を、外部の熱交換器に供給し、上記外部の熱交換器から戻ってきた第１の熱伝達媒体を、上記熱伝達媒体供給装置に戻す熱伝達媒体循環装置において、
蓄熱手段と；
上記熱伝達媒体供給装置から受け取った第１の熱伝達媒体であって上記外部の熱交換器に供給される前の熱伝達媒体である供給前熱伝達媒体と、上記蓄熱手段との間で、熱量を移動させることが可能な第１の熱移動手段と；
上記外部の熱交換器から戻ってきた第１の熱伝達媒体であって上記熱伝達媒体供給装置に戻る前の熱伝達媒体である供給後熱伝達媒体と、上記蓄熱手段との間で、熱量を移動させることが可能な第２の熱移動手段と；
を有することを特徴とする熱伝達媒体循環装置。
【請求項２】
請求項１に記載の熱伝達媒体循環装置において、
上記供給後熱伝達媒体の温度を検出する供給後熱伝達媒体温度検出手段と；
上記検出した供給後熱伝達媒体の温度に応じて、上記第１の熱移動手段が移動する熱量または上記第２の熱移動手段が移動する熱量を制御し、上記供給後熱伝達媒体の温度が所定の範囲内の温度になるように制御する供給後熱伝達媒体温度制御手段と；
を有することを特徴とする熱伝達媒体循環装置。
【請求項３】
請求項２に記載の熱伝達媒体循環装置において、
上記第１の熱移動手段は、第１の熱交換器を備え、この第１の熱交換器の内部を上記供給前熱伝達媒体と、この供給前熱伝達媒体とは異なる液状の第２の熱伝達媒体とが通過するように構成されており、上記第２の熱伝達媒体が、上記第１の熱交換器と上記蓄熱手段との間を循環するように構成されており、
上記第２の熱移動手段は、第２の熱交換器を備え、この第２の熱交換器の内部を上記供給後熱伝達媒体と、この供給後熱伝達媒体とは異なる液状の第３の熱伝達媒体とが通過するように構成されており、上記第３の熱伝達媒体が、上記第２の熱交換器と上記蓄熱手段との間を循環するように構成されており、
上記供給前熱伝達媒体を上記第１の熱交換器を経由させないで上記外部の熱交換器に送ることが可能な第１のバイパス経路と；
上記供給後熱伝達を上記第２の熱交換器を経由させないで上記熱伝達媒体供給装置に戻すことが可能な第２のバイパス経路と；
を有し、上記供給後熱伝達媒体温度制御手段は、上記第１の熱交換器と上記第１のバイパス経路とを通過する上記供給前熱伝達媒体の流量を変え、または、上記第２の熱交換器と上記第２のバイパス経路とを通過する上記供給後熱伝達媒体の流量を変える手段であることを特徴とする熱伝達媒体循環装置。
【請求項４】
請求項２または請求項３に記載の熱伝達媒体循環装置において、
上記熱伝達媒体供給装置から受け取り、また、上記熱伝達媒体供給装置に戻す第１の熱伝達媒体は、上記外部の熱交換器で熱量を受け取る冷媒であり、
上記第１の熱移動手段は、上記蓄熱手段から、上記供給後熱伝達媒体よりも温度の低い上記供給前熱伝達媒体へ熱量を移動させることが可能な手段であり、
上記第２の熱移動手段は、上記供給前熱伝達媒体よりも温度の高い上記供給後熱伝達媒体から、上記蓄熱手段へ熱量を移動させることが可能な手段であることを特徴とする熱伝達媒体循環装置。
【請求項５】
請求項４に記載の熱伝達媒体循環装置において、
上記蓄熱手段は、液体状の第３の熱伝達媒体を用いて熱を蓄えることが可能な手段であり、
上記第２の熱交換器は、外部の熱交換器から戻ってきた第１の熱伝達媒体であって上記熱伝達媒体供給装置に戻る前の第１の熱伝達媒体である供給後熱伝達媒体と、第３の熱伝達媒体との間で熱量を交換可能ように構成されており、
上記第２の熱交換器から出てきた第３の熱伝達媒体の温度が、上記第２の熱交換器に入る前の上記供給後熱伝達媒体の温度よりも低く、上記第２の熱交換器から出てきた上記供給後熱伝達媒体の温度よりも高いことを特徴とする熱伝達媒体循環装置。
【請求項６】
請求項２または請求項３に記載の熱伝達媒体循環装置において、
上記熱伝達媒体供給装置から受け取り、また、上記熱伝達媒体供給装置に戻す第１の熱伝達媒体は、上記外部の熱交換器で熱量を発散する媒体であり、
上記第１の熱移動手段は、上記供給後熱伝達媒体よりも温度の高い上記供給前熱伝達媒体から、上記蓄熱手段へ熱量を移動させることが可能な手段であり、
上記第２の熱移動手段は、上記蓄熱手段から、上記供給前熱伝達媒体よりも温度の低い上記供給後熱伝達媒体へ熱量を移動させることが可能な手段であることを特徴とする熱伝達媒体循環装置。
【請求項７】
請求項１〜請求項３のいずれか１項に記載の熱伝達媒体循環装置において、
上記熱伝達媒体供給装置は、冷房用の第１の熱伝達媒体を供給可能な第１の熱伝達媒体供給装置と暖房用の第１の熱伝達媒体を供給可能な第２の熱伝達媒体供給装置とで構成されており、
上記第１の熱移動手段よりも上記熱伝達媒体供給装置側の上記供給前熱伝達媒体の経路中に第１の切換弁を備え、第２の熱移動手段よりも上記熱伝達媒体供給装置側の上記供給後熱伝達媒体の経路中に第２の切換弁を備え、上記各切換弁による切換によって、上記第１の熱伝達媒体供給装置または上記第２の熱伝達媒体供給装置から第１の熱伝達媒体の供給を受け、この供給を受けた装置に第１の熱伝達媒体を戻すように構成されていることを特徴とする熱伝達媒体循環装置。
【請求項８】
液体状の第１の熱伝達媒体を熱伝達媒体供給装置から受け取って、この受け取った第１の熱伝達媒体を、外部の熱交換器に供給し、上記外部の熱交換器から戻ってきた第１の熱伝達媒体を、上記熱伝達媒体供給装置に戻す熱伝達媒体循環装置において、
液体状の第３の熱伝達媒体を用いて熱を蓄えることが可能な蓄熱手段と；
上記外部の熱交換器から戻ってきた第１の熱伝達媒体であって上記熱伝達媒体供給装置に戻る前の第１の熱伝達媒体である供給後熱伝達媒体と、上記第３の熱伝達媒体との間で熱量を交換可能な第２の熱交換器と；
を有し、上記第２の熱交換器から出てきた第３の熱伝達媒体の温度が、上記第２の熱交換器に入る前の上記供給後熱伝達媒体の温度よりも低く、上記第２の熱交換器から出てきた上記供給後熱伝達媒体の温度よりも高いことを特徴とする熱伝達媒体循環装置。
【請求項９】
液体状の冷媒を冷媒供給装置から受け取って、この受け取った冷媒を、外部の熱交換器に供給し、上記外部の熱交換器から戻ってきた冷媒を、上記冷媒供給装置に戻す冷媒循環方法において、
上記外部の熱交換器から戻ってきた冷媒であって上記冷媒供給装置に戻る前の冷媒である供給後冷媒の温度を測定する冷媒温度測定段階と；
上記供給後冷媒の温度が所定の温度よりも低い場合、上記冷媒供給装置から受け取った冷媒であって上記外部の熱交換器に供給される前の冷媒である供給前冷媒に、蓄熱装置から熱量を移動し、上記供給後冷媒の温度が所定の温度よりも高い場合、上記供給後冷媒から上記蓄熱装置へ熱量を移動するように制御する制御段階と；
を有することを特徴とする冷媒循環方法。
【請求項１０】
液体状の第１の熱伝達媒体を熱伝達媒体供給装置から受け取って、この受け取った第１の熱伝達媒体を、外部の熱交換器に供給し、上記外部の熱交換器から戻ってきた第１の熱伝達媒体を、上記熱伝達媒体供給装置に戻す熱伝達媒体循環方法において、
上記外部の熱交換器から戻ってきた第１の熱伝達媒体であって上記熱伝達媒体供給装置に戻る前の熱伝達媒体である供給後熱伝達媒体の温度を測定する熱伝達媒体温度測定段階と；
上記供給後熱伝達媒体の温度が所定の温度よりも高い場合、上記熱伝達媒体供給装置から受け取った第１の熱伝達媒体であって上記外部の熱交換器に供給される前の熱伝達媒体である供給前熱伝達媒体から、蓄熱装置へ熱量を移動し、上記供給後熱伝達媒体の温度が所定の温度よりも低い場合、上記蓄熱装置から上記供給後熱伝達媒体へ熱量を移動するように制御する制御段階と；
を有することを特徴とする熱伝達媒体循環方法。
【請求項１１】
液体状の第１の熱伝達媒体を熱伝達媒体供給装置から受け取って、この受け取った第１の熱伝達媒体を、外部の熱交換器に供給し、上記外部の熱交換器から戻ってきた第１の熱伝達媒体を、上記熱伝達媒体供給装置に戻す熱伝達媒体循環方法において、
液体状の第３の熱伝達媒体を用いて熱を蓄える蓄熱段階と；
上記外部の熱交換器から戻ってきた第１の熱伝達媒体であって上記熱伝達媒体供給装置に戻る前の第１の熱伝達媒体である供給後熱伝達媒体と、上記第３の熱伝達媒体との間で熱量を交換する熱交換器段階と；
を有し、上記第２の熱交換器から出てきた第３の熱伝達媒体の温度が、上記熱交換器に入る前の上記供給後熱伝達媒体の温度よりも低く、上記熱交換器から出てきた上記供給後熱伝達媒体の温度よりも高いことを特徴とする熱伝達媒体循環方法。
【発明の詳細な説明】
【技術分野】
【０００１】
本発明は、熱伝達媒体循環装置、冷媒循環方法および熱伝達媒体循環方法に係り、特に、蓄熱手段を用いて、熱を効率良く運用するものに関する。
【背景技術】
【０００２】
図４は、従来の冷房装置１００の概略構成を示す図である。
【０００３】
従来の冷房装置１００は、ガスを圧縮して膨張することにより冷媒（たとえば水）を冷やすことができる冷媒供給装置１０２から、１つまたは複数の外部の熱交換器１０４に、冷えた冷媒（たとえば７℃の冷水を）供給するようになっている。
【０００４】
また、上記外部の各熱交換器１０４で暖められた冷媒（たとえば７℃よりも温度の高い水）が上記外部の各熱交換器１０４から上記冷媒供給装置１０２に戻り、この戻ってきた冷媒を再び冷却して、上記各熱交換器１０４に供給するようになっている。
【０００５】
なお、上記外部の各熱交換器１０４は、たとえば、宿泊施設や住宅の各部屋に設置され、上記各部屋を冷房するために使用される。また、上記冷媒供給装置１０２に戻るときの冷媒の温度は、上記冷媒供給装置１０２の能力上の制限から、たとえば、１２℃以下である必要がある。
【発明の開示】
【発明が解決しようとする課題】
【０００６】
上記従来の冷房装置１００では、上述したように、上記冷媒供給装置１０２に戻る冷媒（熱伝達媒体）の温度の上限が定められている。換言すれば、上記冷媒供給装置１０２の戻る直前の冷媒の温度と、上記冷媒供給装置１０２から吐出された直後の冷媒の温度との差（温度差ΔＴ１）を、所定の値（たとえば、５℃）以内にする必要があるという問題がある。
【０００７】
このため、たとえば、気温が上昇し、上記温度差ΔＴ１が所定の値よりも大きくなるおそれがあるときには、上記外部の各熱交換器１０４による送風を少なくして、上記外部の各熱交換器１０４で吸収する熱量が少なくなるように制限するか、または、上記外部の各熱交換器１０４に流す冷媒の流量を多くする必要がある。
【０００８】
ところで、上記外部の各熱交換器１０４で吸収する熱量が少なくなるように制限すると、上記外部の各熱交換器１０４による冷房能力が不足し、一方、上記外部の各熱交換器１０４に流す冷媒の流量を多くするとなると、上記冷媒供給装置１０２を容量（冷媒の吐出流量や冷却能力）を大きくする必要があると共に、上記各熱交換器１０４等における冷媒の流路も広げる必要があり、装置全体が大型化する。
【０００９】
なお、上記問題は、上記外部の各熱交換器１０４で熱を吸収する場合（冷房する場合）だけでなく、上記外部の各熱交換器１０４で熱を放出する場合（暖房する場合）においても発生する問題である。
【００１０】
なお、暖房する場合には、冷媒供給装置（熱伝達媒体冷媒供給装置）１０２によって、熱伝達媒体（たとえば水）を暖めるようにする必要がある。
【００１１】
本発明は、上記問題点に鑑みてなされたものであり、熱伝達媒体冷媒供給装置から吐出された直後の熱伝達媒体の温度と、吐出され外部の熱交換器に供給された後に上記熱伝達媒体冷媒供給装置に戻る直前の熱伝達媒体の温度との差を、所定の値以内にすることが容易である熱伝達媒体循環装置、熱伝達媒体循環方法を提供することを目的とする。
【課題を解決するための手段】
【００１２】
請求項１に記載の発明は、液体状の第１の熱伝達媒体を熱伝達媒体供給装置から受け取って、この受け取った第１の熱伝達媒体を、外部の熱交換器に供給し、上記外部の熱交換器から戻ってきた第１の熱伝達媒体を、上記熱伝達媒体供給装置に戻す熱伝達媒体循環装置において、蓄熱手段と、上記熱伝達媒体供給装置から受け取った第１の熱伝達媒体であって上記外部の熱交換器に供給される前の熱伝達媒体である供給前熱伝達媒体と、上記蓄熱手段との間で、熱量を移動させることが可能な第１の熱移動手段と、上記外部の熱交換器から戻ってきた第１の熱伝達媒体であって上記熱伝達媒体供給装置に戻る前の熱伝達媒体である供給後熱伝達媒体と、上記蓄熱手段との間で、熱量を移動させることが可能な第２の熱移動手段とを有する熱伝達媒体循環装置である。
【００１３】
請求項２に記載の発明は、請求項１に記載の熱伝達媒体循環装置において、上記供給後熱伝達媒体の温度を検出する供給後熱伝達媒体温度検出手段と、上記検出した供給後熱伝達媒体の温度に応じて、上記第１の熱移動手段が移動する熱量または上記第２の熱移動手段が移動する熱量を制御し、上記供給後熱伝達媒体の温度が所定の範囲内の温度になるように制御する供給後熱伝達媒体温度制御手段とを有する熱伝達媒体循環装置である。
【００１４】
請求項３に記載の発明は、請求項２に記載の熱伝達媒体循環装置において、上記第１の熱移動手段は、第１の熱交換器を備え、この第１の熱交換器の内部を上記供給前熱伝達媒体と、この供給前熱伝達媒体とは異なる液状の第２の熱伝達媒体とが通過するように構成されており、上記第２の熱伝達媒体が、上記第１の熱交換器と上記蓄熱手段との間を循環するように構成されており、上記第２の熱移動手段は、第２の熱交換器を備え、この第２の熱交換器の内部を上記供給後熱伝達媒体と、この供給後熱伝達媒体とは異なる液状の第３の熱伝達媒体とが通過するように構成されており、上記第３の熱伝達媒体が、上記第２の熱交換器と上記蓄熱手段との間を循環するように構成されており、上記供給前熱伝達媒体を上記第１の熱交換器を経由させないで上記外部の熱交換器に送ることが可能な第１のバイパス経路と、上記供給後熱伝達を上記第２の熱交換器を経由させないで上記熱伝達媒体供給装置に戻すことが可能な第２のバイパス経路とを有し、上記供給後熱伝達媒体温度制御手段は、上記第１の熱交換器と上記第１のバイパス経路とを通過する上記供給前熱伝達媒体の流量を変え、または、上記第２の熱交換器と上記第２のバイパス経路とを通過する上記供給後熱伝達媒体の流量を変える手段である熱伝達媒体循環装置である。
【００１５】
請求項４に記載の発明は、請求項２または請求項３に記載の熱伝達媒体循環装置において、上記熱伝達媒体供給装置から受け取り、また、上記熱伝達媒体供給装置に戻す第１の熱伝達媒体は、上記外部の熱交換器で熱量を受け取る冷媒であり、上記第１の熱移動手段は、上記蓄熱手段から、上記供給後熱伝達媒体よりも温度の低い上記供給前熱伝達媒体へ熱量を移動させることが可能な手段であり、上記第２の熱移動手段は、上記供給前熱伝達媒体よりも温度の高い上記供給後熱伝達媒体から、上記蓄熱手段へ熱量を移動させることが可能な手段である熱伝達媒体循環装置である。
【００１６】
請求項５に記載の発明は、請求項４に記載の熱伝達媒体循環装置において、上記蓄熱手段は、液体状の第３の熱伝達媒体を用いて熱を蓄えることが可能な手段であり、上記第２の熱交換器は、外部の熱交換器から戻ってきた第１の熱伝達媒体であって上記熱伝達媒体供給装置に戻る前の第１の熱伝達媒体である供給後熱伝達媒体と、第３の熱伝達媒体との間で熱量を交換可能ように構成されており、上記第２の熱交換器から出てきた第３の熱伝達媒体の温度が、上記第２の熱交換器に入る前の上記供給後熱伝達媒体の温度よりも低く、上記第２の熱交換器から出てきた上記供給後熱伝達媒体の温度よりも高い熱伝達媒体循環装置である。
【００１７】
請求項６に記載の発明は、請求項２または請求項３に記載の熱伝達媒体循環装置において、上記熱伝達媒体供給装置から受け取り、また、上記熱伝達媒体供給装置に戻す第１の熱伝達媒体は、上記外部の熱交換器で熱量を発散する媒体であり、上記第１の熱移動手段は、上記供給後熱伝達媒体よりも温度の高い上記供給前熱伝達媒体から、上記蓄熱手段へ熱量を移動させることが可能な手段であり、上記第２の熱移動手段は、上記蓄熱手段から、上記供給前熱伝達媒体よりも温度の低い上記供給後熱伝達媒体へ熱量を移動させることが可能な手段である熱伝達媒体循環装置である。
【００１８】
請求項７に記載の発明は、請求項１〜請求項３のいずれか１項に記載の熱伝達媒体循環装置において、上記熱伝達媒体供給装置は、冷房用の第１の熱伝達媒体を供給可能な第１の熱伝達媒体供給装置と暖房用の第１の熱伝達媒体を供給可能な第２の熱伝達媒体供給装置とで構成されており、上記第１の熱移動手段よりも上記熱伝達媒体供給装置側の上記供給前熱伝達媒体の経路中に第１の切換弁を備え、第２の熱移動手段よりも上記熱伝達媒体供給装置側の上記供給後熱伝達媒体の経路中に第２の切換弁を備え、上記各切換弁による切換によって、上記第１の熱伝達媒体供給装置または上記第２の熱伝達媒体供給装置から第１の熱伝達媒体の供給を受け、この供給を受けた装置に第１の熱伝達媒体を戻すように構成されている熱伝達媒体循環装置である。
【００１９】
請求項８に記載の発明は、液体状の第１の熱伝達媒体を熱伝達媒体供給装置から受け取って、この受け取った第１の熱伝達媒体を、外部の熱交換器に供給し、上記外部の熱交換器から戻ってきた第１の熱伝達媒体を、上記熱伝達媒体供給装置に戻す熱伝達媒体循環装置において、液体状の第３の熱伝達媒体を用いて熱を蓄えることが可能な蓄熱手段と、上記外部の熱交換器から戻ってきた第１の熱伝達媒体であって上記熱伝達媒体供給装置に戻る前の第１の熱伝達媒体である供給後熱伝達媒体と、上記第３の熱伝達媒体との間で熱量を交換可能な第２の熱交換器とを有し、上記第２の熱交換器から出てきた第３の熱伝達媒体の温度が、上記第２の熱交換器に入る前の上記供給後熱伝達媒体の温度よりも低く、上記第２の熱交換器から出てきた上記供給後熱伝達媒体の温度よりも高い熱伝達媒体循環装置である。
【００２０】
請求項９に記載の発明は、液体状の冷媒を冷媒供給装置から受け取って、この受け取った冷媒を、外部の熱交換器に供給し、上記外部の熱交換器から戻ってきた冷媒を、上記冷媒供給装置に戻す冷媒循環方法において、上記外部の熱交換器から戻ってきた冷媒であって上記冷媒供給装置に戻る前の冷媒である供給後冷媒の温度を測定する冷媒温度測定段階と、上記供給後冷媒の温度が所定の温度よりも低い場合、上記冷媒供給装置から受け取った冷媒であって上記外部の熱交換器に供給される前の冷媒である供給前冷媒に、蓄熱装置から熱量を移動し、上記供給後冷媒の温度が所定の温度よりも高い場合、上記供給後冷媒から上記蓄熱装置へ熱量を移動するように制御する制御段階とを有する冷媒循環方法である。
【００２１】
請求項１０に記載の発明は、液体状の第１の熱伝達媒体を熱伝達媒体供給装置から受け取って、この受け取った第１の熱伝達媒体を、外部の熱交換器に供給し、上記外部の熱交換器から戻ってきた第１の熱伝達媒体を、上記熱伝達媒体供給装置に戻す熱伝達媒体循環方法において、上記外部の熱交換器から戻ってきた第１の熱伝達媒体であって上記熱伝達媒体供給装置に戻る前の熱伝達媒体である供給後熱伝達媒体の温度を測定する熱伝達媒体温度測定段階と、上記供給後熱伝達媒体の温度が所定の温度よりも高い場合、上記熱伝達媒体供給装置から受け取った第１の熱伝達媒体であって上記外部の熱交換器に供給される前の熱伝達媒体である供給前熱伝達媒体から、蓄熱装置へ熱量を移動し、上記供給後熱伝達媒体の温度が所定の温度よりも低い場合、上記蓄熱装置から上記供給後熱伝達媒体へ熱量を移動するように制御する制御段階とを有する熱伝達媒体循環方法である。
【００２２】
請求項１１に記載の発明は、液体状の第１の熱伝達媒体を熱伝達媒体供給装置から受け取って、この受け取った第１の熱伝達媒体を、外部の熱交換器に供給し、上記外部の熱交換器から戻ってきた第１の熱伝達媒体を、上記熱伝達媒体供給装置に戻す熱伝達媒体循環方法において、液体状の第３の熱伝達媒体を用いて熱を蓄える蓄熱段階と、上記外部の熱交換器から戻ってきた第１の熱伝達媒体であって上記熱伝達媒体供給装置に戻る前の第１の熱伝達媒体である供給後熱伝達媒体と、上記第３の熱伝達媒体との間で熱量を交換する熱交換器段階とを有し、上記第２の熱交換器から出てきた第３の熱伝達媒体の温度が、上記熱交換器に入る前の上記供給後熱伝達媒体の温度よりも低く、上記熱交換器から出てきた上記供給後熱伝達媒体の温度よりも高い熱伝達媒体循環方法である。
【発明の効果】
【００２３】
本発明によれば、熱伝達媒体冷媒供給装置から吐出された直後の熱伝達媒体の温度と、吐出され外部の熱交換器に供給された後に上記熱伝達媒体冷媒供給装置に戻る直前の熱伝達媒体の温度との差を、所定の値以内にすることが容易であるという効果を奏する。
【発明を実施するための最良の形態】
【００２４】
［第１の実施形態］
図１は、本発明の第１の実施形態に係る熱伝達媒体循環装置１の概略構成を示す図である。
【００２５】
熱伝達媒体循環装置１は、液体状の第１の熱伝達媒体（たとえば水）を、図示しない熱伝達媒体供給装置（たとえば、冷水や温水を発生可能な装置）から、図１に矢印ＡＲ１で示すように受け取って、この受け取った熱伝達媒体を、矢印ＡＲ３で示すように外部の熱交換器１０４に供給し、矢印ＡＲ５で示すように上記外部の熱交換器１０４から出てきた第１の熱伝達媒体を、矢印ＡＲ７で示すように上記熱伝達媒体供給装置に戻す装置である。上記第１の熱伝達媒体は、まわりが断熱材によって覆われている配管等によって形成された流路を流れる。
【００２６】
上記外部の熱交換器１０４として、たとえば、宿泊施設や集合住宅の各部屋に設置される内気（ないき）循環型のエアコンのラジエータや、外気を導入する場合この外気を予め所定の温度（部屋の設定温度）にするための装置のラジエータを考えることができる。
【００２７】
また、上記外部の熱交換器１０４として、たとえば、ファンコイルとヒートポンプとを備えたハイブリッド型空調機や、大温度差空調機（入口の熱伝達媒体と出口の熱伝達媒体との温度差が大きい空調機）を採用している。
【００２８】
また、上記熱伝達媒体供給装置として、たとえば、ビルディング等の複数の建て屋に、冷水や温水を供給可能な大規模な熱伝達媒体供給装置を考えることができる。
【００２９】
熱伝達媒体循環装置１は、蓄熱手段（蓄熱装置）３を備え、上記熱伝達媒体供給装置から受け取った第１の熱伝達媒体であって上記外部の熱交換器１０４に供給される前の熱伝達媒体である供給前熱伝達媒体（図１に示す位置ＰＳ１と位置ＰＳ３との間の配管のいずれかに存在している熱伝達媒体）と、上記蓄熱手段３との間で、熱量を移動させることが可能な第１の熱移動手段５が設けられている。
【００３０】
また、上記外部の熱交換器１０４から出てきた第１の熱伝達媒体であって上記熱伝達媒体供給装置に戻る前の熱伝達媒体である供給後熱伝達媒体（図１に示す位置ＰＳ５と位置ＰＳ７との間の配管のいずれかに存在している熱伝達媒体）と、上記蓄熱手段３との間で、熱量を移動させることが可能な第２の熱移動手段７が設けられている。
【００３１】
上記蓄熱装置３は、たとえば、上下（天地）方向に長く延びた筐体３Ａを備えており、この筐体３Ａ内には、比熱の大きい液状の物質（たとえば水）Ｗ１が蓄えられている。
【００３２】
そして、熱伝達媒体循環装置１が長い時間停止していたときには、上記物質Ｗ１の温度は、ほぼ均一になっているが、上記熱伝達媒体循環装置１が稼動し、上記各熱移動手段５、７のいずれかが熱量を移動しているときには、上記物質Ｗ１の温度は、筐体３Ａの上側で高く、下側で低くなっている。
【００３３】
また、上記筐体３Ａの外側は断熱材（図示せず）で覆われており、上記筐体３Ａ内の物質Ｗ１と上記筐体３Ａの外の大気等との間における熱の移動量は極僅かになっている。
【００３４】
また、上記供給後熱伝達媒体の温度を検出する供給後熱伝達媒体温度検出手段の例である温度センサー９が設けられている。なお、この温度センサー９が検出した温度の値は、制御装置１１に送られるようになっている。
【００３５】
そして、上記制御装置１１は、上記温度センサー９が検出した供給後熱伝達媒体の温度に応じて、上記第１の熱移動手段５が移動する熱量または上記第２の熱移動手段７が移動する熱量を制御し、上記供給後熱伝達媒体の温度（上記熱伝達媒体供給装置に戻す（送り返す）直前の熱伝達媒体の温度；図１に示す位置ＰＳ７における熱伝達媒体の温度）が所定の範囲内の温度になるように制御している。
【００３６】
ここで、例を掲げてより詳しく説明すると、第１の熱移動手段５は、第１の熱交換器１３を備え、この第１の熱交換器１３の内部を上記供給前熱伝達媒体と、この供給前熱伝達媒体とは異なる液状の第２の熱伝達媒体（上記蓄熱手段３に蓄えられているたとえば水Ｗ１）とが、互いの交じり合うことなく通過するように構成されており、上記第２の熱伝達媒体が、上記第１の熱交換器１３と上記蓄熱手段３との間を、制御装置１１で制御されるポンプ１５によって矢印ＡＲ９の方向に循環するように構成されている。
【００３７】
第２の熱移動手段７は、第２の熱交換器１７を備え、この第２の熱交換器１７の内部を上記供給後熱伝達媒体と、この供給後熱伝達媒体とは異なる液状の第３の熱伝達媒体（上記蓄熱手段３に蓄えられているたとえば水Ｗ１）とが、互いに交じり合うことなく通過するように構成されており、上記第３の熱伝達媒体が、上記第２の熱交換器１７と上記蓄熱手段３との間を、制御装置１１で制御されるポンプ１９によって矢印ＡＲ１１の方向に循環するように構成されている。
【００３８】
なお、蓄熱装置３が上述のように構成されていることによって、上記第２の熱伝達媒体と上記第３の熱伝達媒体とは同じものとなる。
【００３９】
また、上記第１の熱交換器１３と並列して、上記供給前熱伝達媒体を上記第１の熱交換器１３を経由させないで上記外部の熱交換器１０４に送ることが可能な第１のバイパス経路２１が設けられている。
【００４０】
なお、上記第１の熱交換器１３と第１のバイパス経路２１とが互いに合流したところ（上記外部の熱交換器１０４側の合流箇所）Ｍ３からやや下流側（上記外部の熱交換器１０４側）には、上記外部の各熱交換器１０４へ第１の熱伝達媒体を供給するための分配器（ヘッダ）２３が設けられ、この分配器２３と上記外部の各熱交換器１０４との間には、上記外部の各熱交換器１０４に第１の熱伝達媒体を送るために各ポンプ２５が設けられている。
【００４１】
上記第１の熱交換器１３と第１のバイパス経路２１とが互いに合流したところＭ３と、上記分配器２３との間には、第１の熱伝達媒体の温度を検出する温度検出手段の例である温度センサー２７が設けられている。なお、この温度センサー２７が検出した温度の値は、制御装置１１に送られるようになっている。また、上記温度センサー２７で、分配器２３内の媒体の温度を検出するようにしてもよい。
【００４２】
上記第１の熱交換器１３と第１のバイパス経路２１とに分流したところ（上記外部の熱交換器１０４とは反対側の分流箇所）Ｍ１と上記熱交換器１３との間には、上記第１の熱交換器１３の内部を流れる第１の熱伝達媒体の流量を、制御装置１１の制御の下で変えることが可能なバルブ２９が設けられている。
【００４３】
上記第１のバイパス経路２１の途中には、上記第１のバイパス経路２１の内を流れる第１の熱伝達媒体の流量を、制御装置１１の制御の下で変えることが可能なバルブ３１が設けられている。
【００４４】
上記第２の熱交換器１７と並列して、上記供給後熱伝達媒体を上記第２の熱交換器１７を経由させないで、上記熱伝達上記外部の熱交換器１０４に送ることが可能な第２のバイパス経路３３が設けられている。
【００４５】
上記第２の熱交換器１７と第２のバイパス経路３３とに分流したところ（上記外部の熱交換器１０４側の分流箇所）Ｍ５よりもやや上流側（上記外部の熱交換器１０４側）には、上記外部の各熱交換器１０４から出てくる第１の熱伝達媒体を合流するための分配器（ヘッダ）３５が設けられている。
【００４６】
上記第２の熱交換器１７と第２のバイパス経路３３とが互いに合流したところ（上記外部の熱交換器１０４とは反対側の合流箇所）Ｍ７よりもやや下流側（上記熱伝達媒体供給装置側）には、上記温度センサー９が設けられている。
【００４７】
また、上記分配器３５と、上記第２の熱交換器１７と第２のバイパス経路３３とに分流したところＭ５との間には、第１の熱伝達媒体の温度を検出する温度検出手段の例である温度センサー３７が設けられている。なお、この温度センサー３７が検出した温度の値は、制御装置１１に送られるようになっている。また、上記温度センサー３７で、分配器３５内の媒体の温度を検出するようにしてもよい。
【００４８】
さらに、上記第２の熱交換器１７と第２のバイパス経路３３とに分流したところＭ５と上記第２の熱交換器１７との間には、上記第２の熱交換器１７の内部を流れる第１の熱伝達媒体の流量を、制御装置１１の制御の下で変えることが可能なバルブ３９が設けられており、上記第２のバイパス経路３３の途中には、上記第２のバイパス経路３３の内を流れる第１の熱伝達媒体の流量を、制御装置１１の制御の下で変えることが可能なバルブ４１が設けられている。
【００４９】
そして、上記制御装置１１によって、上記各バルブ２９、３１の開度を変え、上記第１の熱交換器１３と上記第１のバイパス経路２１とを通過する上記供給前熱伝達媒体の流量を変え、または、上記各バルブ３９、４１の開度を変え、上記第２の熱交換器１７と上記第２のバイパス経路３３とを通過する上記供給後熱伝達媒体の流量を変えるようになっている。
【００５０】
なお、上記制御装置１１によって、ポンプ１５やポンプ１９の熱伝達媒体Ｗ１の流量を変えてもよい。
【００５１】
ところで、熱伝達媒体循環装置１において、上記熱伝達媒体供給装置から受け取りまた上記熱伝達媒体供給装置に戻す熱伝達媒体として、上記外部の熱交換器１０４で熱量を受け取る冷媒を考えることができる。
【００５２】
なお、上記熱伝達媒体供給装置から受け取った冷媒の温度（図１の位置ＰＳ１における温度）は、たとえば、７℃であり、上記熱伝達媒体供給装置に戻す冷媒の温度（図１の位置ＰＳ７における温度）は、１２℃以下にする必要がある。
【００５３】
このように考えると、上記各熱交換器１０４は、冷房装置のラジエータということになる。また、上記第１の熱移動手段５は、上記蓄熱手段３から、上記供給後熱伝達媒体よりも温度の低い上記供給前熱伝達媒体へ熱量を移動させることが可能なようになっており、上記第２の熱移動手段７は、上記供給前熱伝達媒体よりも温度の高い上記供給後熱伝達媒体から、上記蓄熱手段３へ熱量を移動させることが可能なようになっている。
【００５４】
ここで、蓄熱装置３や第２の熱交換機１７等について、より詳しく説明する。
【００５５】
蓄熱装置３は、上述したように、液体状の第３の熱伝達媒体等を用いて熱を蓄えることが可能なように構成されている。また、第２の熱交換器１７は、上記外部の熱交換器１０４から戻ってきた第１の熱伝達媒体であって上記熱伝達媒体供給装置に戻る前の熱伝達媒体である供給後熱伝達媒体と、上記第３の熱伝達媒体との間で熱量を交換可能なように構成されている。
【００５６】
そして、上記第２の熱交換器１７から出てきた第３の熱伝達媒体の温度が、上記第２の熱交換器１７に入る前の上記供給後熱伝達媒体の温度よりも低く、上記第２熱交換器１７から出てきた上記供給後熱伝達媒体の温度よりも高くなるように構成されている。
【００５７】
なお、第１の熱伝達媒体と、第２の熱伝達媒体とは、互いに混合しないようになっており、上記第２熱交換器１７内で、熱伝導性の良い配管等の部材を介して、熱伝達が行われるようになっている。
【００５８】
より、詳しく例を掲げて説明すると、第３の熱伝達媒体の温度は、図１に示す入口ＰＳ９では、７℃になっており、中間部の位置ＰＳ１１では、１２℃になっており、出口ＰＳ１３では、１７℃以下で１７℃の近傍（たとえば、１６．５℃）になっている。
【００５９】
一方、第１の熱伝達媒体（供給後熱伝達媒体）の温度は、図１に示す入口ＰＳ１５では、１７℃になっており、中間部の位置ＰＳ１７では、１４．５℃になっており、出口ＰＳ１９では１２℃になっている。
【００６０】
すなわち、上記第２の熱交換器１７から出てきた第３の熱伝達媒体の温度（ＰＳ１３での温度１６．５℃）が、上記第２の熱交換器１７に入る前の上記供給後熱伝達媒体の温度（ＰＳ１５での温度１７℃）よりも低く、上記第２熱交換器１７から出てきた上記供給後熱伝達媒体の温度（ＰＳ１５での温度１２℃）よりも高くなっている。
【００６１】
また、すでに理解されるように、上記第２の熱交換器１７内において、上記供給後熱伝達媒体は、上記熱交換器の入口から出口に向かって流れるにしたがって、次第に温度が下降するようになっており、一方、上記熱交換器１７内において、上記第３の熱伝達媒体は、上記第２の熱交換器１７の入口から出口に向かって流れるにしたがって、次第に温度が上昇するようになっている。
【００６２】
また、上記供給後熱伝達媒体の比熱と、上記第３の熱伝達媒体との比熱が同じであるとすると、位置ＰＳ９か位置ＰＳ１３に向かって流れる第３の熱伝達媒体の流量は、位置ＰＳ１５から位置ＰＳ１９に向かって流れる供給後熱伝達媒体の流量よりも少ない。したがって、第３の熱伝達媒体を循環するポンプを小型化することができる。
【００６３】
次に、上記熱伝達媒体を冷媒としたときにおける熱伝達媒体循環装置１の動作について説明する。
【００６４】
熱伝達媒体循環装置１は、冷媒を冷媒供給装置から受け取って、この受け取った冷媒を、外部の熱交換器１０４に供給し、上記外部の熱交換器１０４から戻ってきた冷媒を、上記冷媒供給装置に戻すように動作している。
【００６５】
そして、上記外部の熱交換器１０４から出てきた冷媒であって上記冷媒供給装置に戻る前の冷媒である供給後冷媒の温度を温度センサー９（温度センサー３７でもよい）で測定し、上記供給後冷媒の温度が所定の温度よりも低い場合、上記冷媒供給装置から受け取った冷媒であって上記外部の熱交換器１０４に供給される前の冷媒である供給前冷媒に、蓄熱装置３から熱量を移動し、上記供給後冷媒の温度が所定の温度よりも高い場合、上記供給後冷媒から上記蓄熱装置３へ熱量を移動するように、制御装置１１で制御している。
【００６６】
熱伝達媒体循環装置１によれば、供給前熱伝達媒体と蓄熱手段３との間で熱量を移動させ、供給後熱伝達媒体と上記蓄熱手段３との間で熱量を移動させるので、上記２種類の熱の移動を適宜選択して実行することにより、上記供給前熱伝達媒体の温度と、上記供給後熱伝達媒体の温度との差（温度差ΔＴ１）を、所定の値（たとえば５℃）以内にすることが容易になる。
【００６７】
このため、たとえば、気温が上昇し、上記供給前熱伝達媒体と上記供給後熱伝達媒体との温度差ΔＴ１が上記所定の値よりも大きくなるおそれがあるときでも、気温が低いときに蓄熱手段３に蓄えられ冷えている物質Ｗ１で、上記供給後熱伝達媒体の温度を下げることができ、上記外部の各熱交換器１０４を運転する際に、上記各熱交換器１０４で吸収する熱量を減少する必要がなくなる。
【００６８】
また、上記外部の各熱交換器１０４に入る直前の熱伝達媒体の温度（図１に示す位置ＰＳ３）と、上記外部の各熱交換器１０４から出た直後の熱伝達媒体の温度（図１に示す位置ＰＳ５）との温度差ΔＴ３が上記温度差ΔＴ１より大きくなっても、上記温度差ΔＴ１を維持することができる。
【００６９】
そして、上記温度差ΔＴ３を上記温度差ΔＴ１よりも大きくして、上記外部の各熱交換器１０４を運転すれば、上記外部の各熱交換器１０４の内部を流れる熱伝達媒体の流量を減少させても、冷房能力を維持しつつ上記外部の各熱交換器１０４を運転することができ、上記冷媒供給装置の容量（熱伝達媒体の吐出量や冷却能力）を大きくする必要がなくなり、また、上記各熱交換器１０４等における熱伝達媒体の流路も広げる必要がなくなり、装置全体を小型化することができる。
【００７０】
また、熱伝達媒体循環装置１によれば、たとえば上記供給後熱伝達媒体の温度を検出し、この検出した熱伝達媒体の温度に応じて、上記第１の熱移動手段５が移動する熱量または上記第２の熱移動手段７が移動する熱量を制御し、上記供給後熱伝達媒体の温度が所定の範囲内の温度になるように制御するので、上記温度差ΔＴ１を所定の値以内にすることが確実に容易になる。
【００７１】
さらに、熱伝達媒体循環装置１によれば、上記第２の熱交換器１７から出てきた第３の熱伝達媒体の温度が、上記第２の熱交換器１７に入る前の上記供給後熱伝達媒体の温度よりも低く、上記第２熱交換器１７から出てきた上記供給後熱伝達媒体の温度よりも高くなっているので、蓄熱装置３の温度差の大きい熱伝達媒体を蓄えることができ、従来よりも容量の小さな畜熱装置を採用することができる。
【００７２】
ずなわち、図４に示す従来例のように、蓄熱装置１０６を外部の熱交換器と単に並列に配置したのでは、蓄熱装置１０６は、７℃〜１２℃の範囲内の水を用いて、冷媒供給装置１０２を補助することになるが、熱伝達媒体循環装置１では、７℃〜１７℃の範囲の温度の水（熱伝達媒体）で熱伝達媒体供給装置を補助することができるので、従来よりも容量の小さな畜熱装置を採用することができる。
【００７３】
そして、小さな蓄熱熱装置３を採用することができるので、スペースの限られたビルディングの地下等への設置が容易になる。
【００７４】
また、熱伝達媒体循環装置１によれば、第１の熱交換器１３、第２の熱交換器１７、第１のバイパス経路２１、第２のバイパス経路３３を通過する熱伝達媒体（たとえば、冷媒）の流量（流量の割合等）を、バルブ２９、３１、３９、４１等を用いて変えることにより、上記温度差ΔＴ１を制御するので、単純な構成要素を組み合わせて装置を構成することができ、装置全体の構成を簡素化することができる。
【００７５】
この場合、熱伝達媒体循環装置１において、上記熱伝達媒体供給装置から受け取りまた上記熱伝達媒体供給装置に戻す熱伝達媒体として、上記外部の熱交換器１０４で熱量を発散する媒体を考えることができる。
【００７６】
なお、上記熱伝達媒体供給装置から受け取った媒体の温度（図１の位置ＰＳ１における温度）は、たとえば、４５℃であり、上記熱伝達媒体供給装置に戻す冷媒の温度（図１の位置ＰＳ７における温度）は、４０℃以上にする必要がある。
【００７７】
このように考えると、上記各熱交換器１０４は、暖房装置のラジエータということになる。また、上記第１の熱移動手段５は、上記供給後熱伝達媒体よりも温度の高い上記供給前熱伝達媒体から、上記蓄熱手段３へ熱量を移動させることが可能な手段であり、上記第２の熱移動手段７は、上記蓄熱手段３から、上記供給前熱伝達媒体よりも温度の低い上記供給後熱伝達媒体へ熱量を移動させることが可能な手段ということになる。
【００７８】
そして、上記外部の熱交換器１０４から戻ってきた熱伝達媒体であって上記熱伝達媒体供給装置に戻る前の熱伝達である供給後熱伝達媒体の温度を温度センサー９（温度センサー３７でもよい）で測定し、上記供給後熱伝達媒体の温度が所定の温度よりも高い場合、上記熱伝達媒体供給装置から受け取った熱伝達媒体であって上記外部の熱交換器１０４に供給される前の熱伝達媒体である供給前熱伝達媒体から、蓄熱装置３へ熱量を移動し、上記供給後熱伝達媒体の温度が所定の温度よりも低い場合、上記供給後熱伝達媒体へ上記蓄熱装置３から熱量を移動するように、制御装置１１で制御してもよい。
【００７９】
このようにすることによって、冷房の場合とほぼ同様の効果を得ることができる。
【００８０】
［第２の実施形態］
図２、図３は、第２の実施形態に係る熱伝達媒体循環装置１ａの概略構成を示す図であり、図２は、図１におけるＩＩ部を示し、図３は図１におけるＩＩＩ部を示す。
【００８１】
なお、上記熱伝達媒体循環装置１ａは、図２、図３に示す部分の構成、２種類の熱伝達媒体供給装置との間で熱伝達媒体の授受を行う点が、上記第１の実施形態に係る熱伝達媒体循環装置１とは異なり、その他の点は、上記熱伝達媒体循環装置１とほぼ同様に構成されている。
【００８２】
すなわち、上記熱伝達媒体供給装置は、冷房用の熱伝達媒体（冷媒）を供給可能な第１の熱伝達媒体供給装置（図示せず）と暖房用の熱伝達媒体を供給可能な第２の熱伝達媒体供給装置（図示せず）とで構成されている。
【００８３】
そして、上記第１の熱移動手段５よりも上記熱伝達媒体供給装置側の上記供給前熱伝達媒体の経路中（たとえば、図１に示す分流点Ｍ１と上記各熱伝達媒体供給装置との間）に第１の切換弁５１Ａ、５１Ｂを備え、第２の熱移動手段７よりも上記熱伝達媒体供給装置側の上記供給後熱伝達媒体の経路中（たとえば、図１に示す合流点Ｍ７と上記各熱伝達媒体供給装置との間）に第２の切換弁５３Ａ、５３Ｂを備え、上記各切換弁５１Ａ、５１Ｂ、５３Ａ、５３Ｂによる切換によって、上記第１の熱伝達媒体供給装置または上記第２の熱伝達媒体供給装置から熱伝達媒体の供給を受け、この供給を受けた上記第１の熱伝達媒体供給装置または第２の熱伝達媒体供給装置に熱伝達媒体を戻すようになっている。
【００８４】
熱伝達媒体循環装置１ａによれば、上記熱伝達媒体供給装置を、冷房用の熱伝達媒体を供給可能な第１の熱伝達媒体供給装置と暖房用の熱伝達媒体を供給可能な第２の熱伝達媒体供給装置とで構成し、第１の切換弁５１Ａ、５１Ｂと、第２の切換弁５３Ａ、５３Ｂとによる切換によって、上記第１の熱伝達媒体供給装置または上記第２の熱伝達媒体供給装置から熱伝達媒体の供給を受け、この供給を受けた装置に熱伝達媒体を戻すようになっているので、熱伝達媒体循環装置１ａの蓄熱装置３や熱移動手段５、７等を共通に使用することができ、簡素な構成で冷房用の熱伝達媒体と暖房用の熱伝達媒体とを上記外部の各熱交換器１０４に供給することができる。
【図面の簡単な説明】
【００８５】
【図１】本発明の第１の実施形態に係る熱伝達媒体循環装置の概略構成を示す図である。
【図２】第２の実施形態に係る熱伝達媒体循環装置の概略構成を示す図であり、図１におけるＩＩ部を示す図である。
【図３】第２の実施形態に係る熱伝達媒体循環装置の概略構成を示す図であり、図１におけるＩＩＩ部を示す図である。
【図４】従来の冷房装置の概略構成を示す図である。
【符号の説明】
【００８６】
１、１ａ  熱伝達媒体循環装置
３  蓄熱手段（蓄熱装置）
５、７  熱移動手段
９  温度センサー
１１  制御装置
１３、１４、１０４  熱交換器
【図１】
2005172334.tif 000003
【図２】
2005172334.tif 000004
【図３】
2005172334.tif 000005
【図４】
2005172334.tif 000006